(57)【要約】      （修正有）【課題】バックやネックピース等に連結したままで使用することができる構成簡易で且つ安価な携帯電話機用ストラップを提供する。【解決手段】連結手段Ｒにより合体または分離可能とし、一方に携帯電話機連結用の紐等の連結具２を備え、他方に携帯電話機等の収納物品連結用の留め具４を備えて成る一対のケーシング１ａ、１ｂと、一方のケーシング１ａ内底面に一端を固定し、他方のケーシング１ｂ内底面に他端を固定し、合体したケーシング１ａ、１ｂ内に収縮状態で収納可能とし、且つ、分離した両ケーシング１ａ、１ｂ相互間で伸長可能とした伸縮自在紐体５とを備える。連結手段Ｒは、一方のケーシング１ａの開口部内側に突設した掛架部６に、他方のケーシング１ｂの開口部側に備えた押し込み可能な操作部材８のラチェット爪９が係合可能とするフック式構造により構成する。【選択図】図１
2007330357.tif 000002
【特許請求の範囲】
【請求項１】
連結手段により合体または分離可能とし、一方に携帯電話機連結用の紐等の連結具を備え、他方に収納物品連結用の留め具を備えて成る一対のケーシングと、一方のケーシング内底面に一端が固定され、他方のケーシング内底面に他端が固定され、合体されたケーシング内に収縮状態で収納可能とし、且つ、分離された両ケーシング相互間で伸長可能とした伸縮自在紐体とを備えたことを特徴とする携帯電話機用ストラップ。
【請求項２】
連結手段は、一方のケーシングの開口部内側に突設された掛架部に、他方のケーシングの開口部側に備えた押し込み可能な操作部材のラチェット爪が係合可能とするフック式構造により構成されている請求項１記載の携帯電話機用ストラップ。
【発明の詳細な説明】
【技術分野】
【０００１】
本発明は、携帯電話機を例えばバッグやネックピース等の他の物品に繋ぐための携帯電話機用ストラップに関する。
【背景技術】
【０００２】
従来、この種の携帯電話機用ストラップとしては、例えば特許文献１に開示されているように、携帯電話機を収容可能とする収納部を備えたかばん類本体の当該収納部近傍の外面部位または収納部内面に留め金具を設け、該留め金具に、前記収納部に収容される携帯電話機に対する連結具を有する伸縮自在条体を連結した技術が存在する。
【０００３】
また、特許文献２に開示されているように、可撓性、伸縮性、復元性に優れた素材によるコイル紐を使ったストラップが存在する。
【０００４】
さらに、特許文献３に開示されているように、巻き取り自在のネックストラップを構成する巻き取り具として、内部にバネおよび係止溝付き巻き取りドラムと、ロック機構に連設されるロックボタンを有する巻き取り具本体下部に、小物品取り付け用の細い連結紐付き連結突部を設け、前記係止溝に、二つ折りした帯紐の両端部を巻き取り具上部の出入り口より外側に一定長さに引き出されるようにした技術が存在する。
【０００５】
また、特許文献４に開示されているように、首掛け紐からなるストラップの両側を同時に巻き取り可能としたリールを巻取ケースに内蔵させてなる携帯電話機用ストラップなる技術が存在する。
【０００６】
さらにまた、特許文献５に開示されているように、内蔵バネにより巻き紐が伸縮自在に延長する巻き尺タイプのリール本体の背面に板バネによるクリップを備え、前記巻き紐端部に二つ折りした掛け紐を留め具で連結してなる携帯電話機用リールストラップが存在する。
【特許文献１】登録実用新案第３０６０７８８号公報
【特許文献２】特開２００１−１５０５３７号公報
【特許文献３】登録実用新案第３０７０７８９号公報
【特許文献４】特開２００２−２４７１６７号公報
【特許文献５】登録実用新案第３０５４６８２号公報
【発明の開示】
【発明が解決しようとする課題】
【０００７】
しかしながら、従来においては、例えば特許文献１の伸縮自在条体や特許文献２のコイル紐を使用した場合、これらが携帯中にぶらぶらと垂れ下がり、他の物品等に引っ掛けたり絡まったりしてしまう等の支障を来す虞れがある。また、特許文献３乃至５の巻き尺タイプのリールストラップでは、内部にバネおよび係止溝付き巻き取りドラムと、ロック機構に連設されるロックボタンを備える等、構成が非常に複雑で高価なものとなる。しかも、リールからの巻き紐の繰り返し引っ張り力によって、当該リール自体の故障の頻度が多くなるという問題点を有していた。
【０００８】
そこで、本発明は、叙上のような従来存した諸事情に鑑み案出されたもので、携帯電話機をストラップを介してバックやネックピース等に連結して持ち運ぶ際に、ストラップ自体が他の物品等に引っ掛けたり絡まったりせずに安心して携帯でき、しかもバック等に収納する際には、ストラップ自体を短縮して収容させることで邪魔にならず、また携帯電話機の使用の際には、ストラップ自体を伸長させることにより、バックやネックピース等に連結したままで使用することができる構成簡易で且つ安価な携帯電話機用ストラップを提供することを目的とする。
【課題を解決するための手段】
【０００９】
上述した課題を解決するため、本発明にあっては、連結手段により合体または分離可能とし、一方に携帯電話機連結用の紐等の連結具を備え、他方に携帯電話機等の収納物品連結用の留め具を備えて成る一対のケーシングと、一方のケーシング内底面に一端が固定され、他方のケーシング内底面に他端が固定され、合体されたケーシング内に収縮状態で収納可能とし、且つ、分離された両ケーシング相互間で伸長可能とした伸縮自在紐体とを備えたことを特徴とする。
【００１０】
連結手段は、一方のケーシングの開口部内側に突設された掛架部に、他方のケーシングの開口部側に備えた押し込み可能な操作部材のラチェット爪が係合可能とするフック式構造により構成されている。
【発明の効果】
【００１１】
本発明によれば、携帯電話機をストラップを介してバックやネックピース等に連結して持ち運ぶ際に、ストラップ自体が他の物品等に引っ掛けたり絡まったりせずに安心して携帯でき、しかもバック等に収納する際には、ストラップ自体を短縮して収容させることで邪魔にならず、また携帯電話機の使用の際には、ストラップ自体を伸長させることにより、バックやネックピース等に連結したままで使用することができる構成簡易で且つ安価な携帯電話機用ストラップを提供することができる。
【００１２】
連結手段は、一方のケーシングの開口部内側に突設された掛架部に、他方のケーシングの開口部側に備えた押し込み可能な操作部材のラチェット爪が係合可能とするフック式構造により構成されているので、両ケーシングの合体または分離がワンタッチで容易かつ迅速に行える。
【発明を実施するための最良の形態】
【００１３】
以下、図面を参照して本発明を実施するための最良の一形態を説明する。
図において示される符号１は、携帯電話機Ｐを例えばバッグ（図３参照）やネックピース等の他の物品Ｑに繋ぐためのストラップ本体であり、該ストラップ本体１は、図１に示すように、連結手段Ｒにより合体または分離可能とした筒状のケーシング１ａ、１ｂによって形成されている。
【００１４】
一方のケーシング１ａの上面には、携帯電話機Ｐを連結するための連結具２例えば金属製または合成樹脂製等の紐２ａが取り付けられる取付孔３を備え、他方のケーシング１ｂの下面には、携帯電話機Ｐ等を収納可能とした物品Ｑに連結させるための、例えばフック４ａに対して揺動可能とした閉塞レバー４ｂを備えた所謂ナスカン等の留め具４を備えている。尚、留め具４として丸カンを使用しても良い。
【００１５】
また、一方のケーシング１ａ内底面には、例えば合成ゴム性のコイル紐等の伸縮自在紐体５の一端が固定され、該伸縮自在紐体５の他端が、他方のケーシング１ｂ内底面に固定されている。そして、図１に示すように、合体されたケーシング１ａ、１ｂ内に伸縮自在紐体５を収縮した状態で収納可能とすると共に、図２に示すように、分離された両ケーシング１ａ、１ｂ相互間で伸縮自在紐体５が伸長可能としてある。尚、この伸縮自在紐体５の他の部材としては、例えば金属線材より成るコイルバネを利用しても良い。
【００１６】
連結手段Ｒは、フック式構造により構成されている。
すなわち、図１に示すように、一方のケーシング１ａの開口部内側の相対向する箇所に内側に向けてフランジ状の掛架部６が突設され、他方のケーシング１ｂの開口部側の相対向する箇所に形成した挿通孔７に、略Ｌ字状の操作部材８の一端側８ａがスライド可能に挿入され、ケーシング１ｂの挿通孔７外方へ突出している。
【００１７】
そして、ケーシング１ａ、１ｂ内部において、操作部材８の他端側にはラチェット爪９が形成され、操作部材８の引き出し位置（図１に示す位置）において、一方のケーシング１ａの掛架部６にラチェット爪９が掛架するようにしてある。また、操作部材８のＬ字角部外側から他方のケーシング１ｂの開口部内側に架けて湾曲状の板発条１０が架設されている。
【００１８】
これによって操作部材８は外方向、すなわち掛架部６にラチェット爪９が掛架する方向に常時付勢され、板発条１０の付勢力に抗して操作部材８の一端８ａを手指で内側に押し込むことで、掛架部６からラチェット爪９が外れて両ケーシング１ａ、１ｂが分離されるようにしてある。
【００１９】
尚、この連結手段Ｒの他の構成としては、例えば一方のケーシング１ａの開口部内側に雌ネジ溝を形成し、他方のケーシング１ｂの開口部外側に雄ネジ溝を形成することで、両ケーシング１ａ、１ｂ同士をねじ込み固定できるようにしても良い。さらに、両ケーシング１ａ、１ｂ同志を嵌合固定できるようにする等、他の手段を採用しても良いことは勿論である。
【００２０】
次に、以上のように構成された最良の形態についての使用の一例について説明する。
先ず、図３（ａ）に示すように、ストラップ本体１の連結具２としての紐２ａを携帯電話機Ｐに取り付け、バック等の物品Ｑの取っ手端部に備えた例えばアクセサリーリング１１等にストラップ本体１の留め具４を取り付ける。このとき、ストラップ本体１の合体されているケーシング１ａ、１ｂ内には、伸縮自在紐体５が収縮した状態で収納されている。
【００２１】
携帯電話機Ｐの使用時には、図３（ｂ）に示すように、ストラップ本体１の操作部材８の突出した一端８ａを手指で内側に押し込むことで、掛架部６からラチェット爪９が外れて両ケーシング１ａ、１ｂが分離され、携帯電話機Ｐを引っ張ることで伸縮自在紐体５が伸長される。これにより、物品Ｑに連結したままの状態で携帯電話機Ｐが使用できるのである。
【００２２】
携帯電話機Ｐの不使用時には、伸縮自在紐体５を収縮しながら両ケーシング１ａ、１ｂの開口部同士を合体させると、図１に示すように、掛架部６によってラチェット爪９の上側傾斜面が押されて操作部材８はいったん内側に退避され、掛架部６がラチェット爪９位置よりも下側まで移動したときには、板発条１０の付勢力により操作部材８は外方へ移動されることで掛架部６にラチェット爪９が掛架する。これによって両ケーシング１ａ、１は合体固定される。
【図面の簡単な説明】
【００２３】
【図１】本発明を実施するための最良の形態のストラップの一部を断面で示した正面図である。
【図２】同じく一対のケーシングを分離させた状態の正面図である。
【図３】同じく使用状態を説明するもので、（ａ）は携帯電話機不使用状態の斜視図、（ｂ）は携帯電話機使用状態の斜視図である。
【符号の説明】
【００２４】
Ｐ          携帯電話機
Ｑ          物品
Ｒ          連結手段
１          ストラップ本体
１ａ、１ｂ  ケーシング
２          連結具
２ａ        紐
３          取付孔
４          留め具
４ａ        フック
４ｂ        閉塞レバー
５          縮自在紐体
６          掛架部
７          挿通孔
８          操作部材
９          ラチェット爪
１０        板発条
１１        アクセサリーリング
【図１】
2007330357.tif 000003
【図２】
2007330357.tif 000004
【図３】
2007330357.tif 000005